(57)【要約】      （修正有）【課題】  他人の手を借りない。球補充を自動化する。投球装置に電力を使用しない。打撃位置を大きく離れない。【解決手段】  動力は自身の足踏みの力を、曲線スロ−プを利用してスプリングの張る力に換え、動力伝達ワイヤ−で投球装置に伝達する。また投球装置を集球つきネットに取り付け、球送り機構で自動的に球補充を行なう。【選択図】    図１
2006181329.tif 000002
【特許請求の範囲】
【請求項１】
投球装置３の投球スプリング２１を張る張ア−ム２４に、動力伝達ケ−ブル２の一端の芯ワイヤ−１８を繋ぎ、他端を足踏み台１に設けられた引張ロ−ラ−１４に繋ぎ、その外覆１９の端末を、芯ワイヤ−１８の引き込み点でそれぞれの本体に固定し、踏み板１０の踏み込みにより、足踏みア−ム１１に接続された踏みロッド１２の先端の引張ロ−ラー１４は、曲面スロ−プ１７上を転動し、これに繋がれた芯ワイヤ−１８を引き、投球スプリング２１を張り、
投球ア−ム２０を引外す投球フック４１を、一端の取り付け点４４を中心に、投球スプリング２１の張力により回動する引外レバ−２８に繋ぎ、他端を遅速装置２７の駆動ア−ム４９と所要時間係会つて遅速回動し、係合いが外れると急速に回動し、押外し突起４３が投球フック４１を押圧して引外し、投球する足踏み式球技練習装置。
【請求項２】
投球装置３の投球装置取り付け金具２９を、集球付きネット４に結合し、集球した球を、球送り駒３１とこれに取り付けられた弾性レバ−３２により、投球終了の都度投球装置３の投球カップ３０に、投球を補充する請求項１の足踏み式球技練習装置。
【請求項３】
請求項１に同じ投球スプリング２１、および同じ張ア−ム２４を追加し、追加分を踏み込み回数によって張り加えるようにした請求項１の足踏み式球技練習装置。
【発明の詳細な説明】
【技術分野】
【０００１】  この発明は野球、もしくはソフトボ−ル、における投球装置に関するもので、主として基礎的な練習を行なう装置に関するものである。
【背景技術】
【０００２】  球技練習装置は主に野球やソフトボ−ルのバッテングに利用され、その基礎的な練習装置としてトスバッテング装置、ノック装置などが主に利用されている。これらの装置は一般にコ−チが指導を兼ねて操作し、また装置に投球を補充することもしている。しかしコ−チはつききりにはなれないので、誰かが操作し、投球の補充も行なっているので、この装置による練習には必ず他人の手を借りなければ出来ない。【０００３】これらの装置は主に電力を利用しているが、これらの使用場所は、ある程度広い屋外であり、電源先からの配線は長経間を要し、管理面、施設面で煩わしさがあった。また小型には電池式があり配線の煩わしさはないが、使用時間の制約、投球力、維持の面で煩わしさがあり、球の補充も一個づつシュ−タ−に乗せなければならないので面倒である。【０００４】  トスバッテング式の打撃練習機が公報され、他人を煩わさず、電力を使用しない練習機が特許された。しかしこれは、投球スプリングを手動によって張るもので、投球力が弱く、張り終えてからいちいちバッテングの位置に移動しなければならない。また足踏みを利用しているが。この発明と相違し足踏は単に投球ア−ムのフックを引き外す目的である。電力の配線も不要で、他人の手は要さないが、球の補充やバネ張りが面倒であり、打球の都度の位置を離れるのでは、煩わしく、また打撃ホ−ムを身に定着させるに不向きである。【０００５】
【特許文献１】特開２００１−２８６５９６
【発明の開示】
【発明が解決しようとする課題】
【０００６】  基礎練習は一般に面白さがなく、どうしても基礎が疎かになりがちであるが、成長期における基礎練習は将来に大きく影響与えると云われている。したがって基礎の練習装置は先ず煩わしさを除き、取りつきやすく、楽しく、自由に練習できることが重要な課題である。【０００７】  準備において配線、電池の補充など管理、維持面に多くの手間がかり、かつ使用場所を限定しなければならない電力は使用せず、他人の手を借りないで練習が出来、打撃ホ−ムを身につけるため、打球の位置をなるべく離れず、自身の行動で投球装置に投球力を与えたり、投球を補充する必要がある。【０００８】  現状の装置は殆どバッテンッグ練習用であるが、野球またはソフトボ−ルの練習装置である以上、投げる、受ける等の基礎的な練習もできることが望ましく、そうした装置であれば娯楽性があり楽しみが増える。
【課題を解決するための手段】
【０００９】  足踏み台を打撃者の近くに置き、伸縮しない可撓性の外覆の中にワイヤ−を通した、動力伝達ケ−ブルによって、投球装置を駆動するのであるが、これを図２、図３によつて説明する。投球スプリング２１を張るための、張りア−ム２４に動力伝達ケ−ブル２の芯のワイヤ−１８の一端を繋ぎ、他端を足踏み台１に設けられた引張りロ−ラ−１４に繋ぎ、動力伝達ケ−ブル２の外覆１９の端末を、芯ワイヤ−１８の引き込み点でそれぞれの本体に固定する。【００１０】  足踏み台１の足踏み板１０の踏み板を支える踏みア−ムの中間に踏みロット１２が接続され、この先端に引張りロ−ラ−１４が取り付けられている。踏み板１０を踏み込むと、引張りロ−ラ−１４は曲面スロ−プ上を転動するようになるので引張りロ−ラ−１４に取り付けられた動力伝達ケ−ブル２の芯ワイヤ−１８を引き、張りア−ム２４を介して投球スプリング２１を張る。【００１１】  投球フック４１にかかる張力により回動し、他端は遅速装置２７の駆動ア−ムと所要時間係合い遅速回動する。この係合いが外れると急速回動し、押外し突起４３により投球フック４１を押し外し、所要時間を置いて投球ア−ム２０を回動し投球する。【００１２】  打撃位置を離ず球の補充するるには、打撃練習の基本がトスバッテングのようにネット４に近ずき、中心の円形に向かって、外さないよう打撃するので、打球は殆どが集球箱内に落ち込む。そこで投球装置３を投球装置取り付け金具２９により、ネット４に取り付け、図５、図６に示すような球送り駒３１と、これに結合した弾性レバ−３２によって、投球ア−ム２０の投球復元の都度、一球づつ投球ア−ム先端のカップ３０内に落ちこませる。【００１３】  投げる、受ける等の練習が出来るようにするには、投球力を強くする必要がある。このため同じ投球スプリング２１と、同じ張りア−ム２４を追加し、さらに張りア−ム２４を張る、張りア−ムを、追加スプリング２１の数だけ設け、これを一括踏み込みにより回動するようにし、それぞれに選択フックを設け、これにより順次張りア−ム２４を選択し、これにフックを掛け引っ張りア−ムを介し、投球スプリング２１を張り固定するようにし、全スプリングについて同様に、踏み込みを重ね張り加えるようにする。
【発明の効果】
【００１４】  電源を使用しないので電源配線布設の手間が懸からず、管理、維持、などの煩わしさが少いので、容易に取り掛かることが出来る。また装置が単純で軽量になり、携行が容易で任意の場所に携行して練習ができる。また電源を要さないのでキャンプなどに携行し遊具としても楽しむことも出来る。【００１５】  自動的に球の補充が出来るので、バッテングの位置を離れず長時間練習を続けることが出来る。また他人の手間を要さないので、任意の時間に、任意の場所で存分に練習することが出来、基礎ホ−ムを身につけるに適している。【００１６】  投球装置に投球スプリング２１と、張りア−ム２４の同じものを追加し、この追加分を順次踏込み、回数によって張り加えるように制作すれば、電源を要さず強力なバッテングマシンに似た球技練習装置になり、各種練習や、集球ネット４を相手にキャチボ−ルなどを楽しむことが出来る。またピッチャ−、球審なしで競技プレ−をすることも出来る。
【発明を実施するための最良の形態】
【００１７】  足踏み台１を打撃者の近くに置き、動力伝達ケ−ブルによって、投球装置を駆動する構成については、すでに課題を解決するための手段で述べたが、スプリングは、張るに従い次第に強くなる特性があり、踏み始めは軽いが次第に重くなり、子供では途中で踏み込めないことになりかねない。これに対して、曲面スロ−プ１７を設け、踏み込みの仕事が全ストロ−ク一に渉り同じになるよう、スプリング２１の特性に合わせて、曲面の形状をつくり、ここに引張りロ−ラ−１４を転動させ、ここに繋いだ芯ワイヤ−１８により投球スプリング２１を張る。【００１８】  動力伝達ケ−ブル２の損失は大きく、長さ、屈曲半径、張力に関係する。長さの損失を小さくするため、汎用の長い動力伝達ケ−ブル２の使用を避け練習種目に最適な長さのものを使し、必要に応じ接続具により追加すようにする。このため使用する動力伝達ケ−ブル２の仕様を統一し、図７図８のように芯ワイヤ−１８端末の形状を、引く方を７５の穴形、引かれる方を７４の槌形とし、外覆１９と芯ワイヤ−１８の長さ、および外覆の端末７６の形状を統一する。従って接続の断面形状は図７のようになるが、これを分解して斜視図で示すと図８のようになる。接続するには踏み込まない状態において、先ず穴形に槌形を挿入し、カバ−７１を合わせて、止めれば完了する。復元時の張力による損失の影響が大きいので、この軽減策として、足踏み台における抵抗分は踏込復元スプリング１３により、動力伝達ケ−ブル２の抵抗分は復元スプリング３３によりそれぞれ分割して引き戻し、張力を減少し抵抗の軽減を図っている。、【００１９】  打撃者は踏み終えてからホ−ムを整えるまでに若干の時間を作るが必要あるが、これについてはすでに、課題を解決するための手段でその構成について述べたが、図４の示すよう遅延装置の駆動ア−ム４９と引外レバ−２８との係合の外れる迄の時間によって遅延させている。しかし係合を外れる時点を、組立によつてつくるには微妙な組立が必要でる。また使用中の消耗、変形等により変化が予想されるので。遅速装置２７の取り付け角度を、調整できるような係り合調整装置４０を設け、撮みによって微調整し、最適の状態にすることが出来る。また投球フックは引き外し荷重が大きいが、この引外しレバ−は自身の突起により強力な押し外し性能を持ち、一段の引き外しは、引外しレバ−４１と遅延装置駆動ア−ム４９との係合いの外れで、二段による引き外しの機構になり、強力確実な引き外しを行なう。【００２０】  投球力を高めるため同じ投球スプリング２１追加し、これを張り加える構成の実施例について図９によって説明する。図１における、張りア−ム２４の軸を張り駆動軸９０とし、踏み込みによる動作は図１と同じであるが、踏み込みによりこの軸は正、逆回動転し固定する事はない。この軸に、張り駆動ア−ム９３を、追加したスプリングの数だけ固定する。この張り駆動ア−ム９３は強い帳力を受けるので、投球スプリング２１を挟むよう２枚で構成し、選択フック９１を設ける、挟んだスプリングが投球順序に該当すれば、このスプリングの張りア−ム９４に、選択フック９１を掛け、この投球スプリング２１を張る、張り終えた所で固定フック９２により固定する。順���同様にして追加した投球スプリング２１を張り終える。選択フック９１の動作は、最初のスプリングは自然に、次のスプリングは隣のスプリングが張られているとき掛るようフック伝送ケ−ブル９６で操作し、固定フック９２は全て張られ次第自然に掛かる。【００２１】  打者がネット４に近き打撃する場合、投球装置３からの投球を認知してからバッテングまでの時間が短くなり、タイミングが取りずらくなる。この対策については、投球前にピチャ−の投球モ−ションに似た表示をする必要がある。踏み終えてから投球までの遅延は、減速装置２７の駆動ア−ム４９と引外レバ−２８との係合によって作ったので、表示も減速駆動ア−ム４９と同軸によつて駆動すれば、正しくタイミングを知らせることができる。そこで表示を図４のように、減速装置の同軸のア−ム４６から動力伝達ケ−ブル３６によって駆動し、外カバ−３５の表示窓３８からボ−ル状の表示板５を上昇させ、上昇終えた位置が投球時とする。投球終われば、表示ア−ム４６の表示復元スプリング４７と、逆転フリ−フック４８により急速に元の位置に復元させ、遅延表示板５も表示窓３８からケ−ス３５内に引き込み、打ち帰えされる打撃球に当たり破損する恐れはない。【００２２】  足踏み終えてから投球までの時間は、引外しレバ−２８と遅速装置２７の駆動ア−ム４９との係り合いの時間によって決められるが、この遅速装置２７は図に示すように回動力を空気羽の摩擦抵抗によって遅速させている。これはオルゴ−ルと全く同じ原理であり、同じ装置である。制作にあたりこの部分を、オルゴ−ルの駆動バネを外し、逆転フリ−フックをつけ遅速装置として使用すれば、この制作技術力は高く、実績も古いので、動作が安定していて、しかも音楽を奏でるので耳でもタイミングを掴める。ただしこの投球装置は極めて振動が激しく耐久性について対策がいる。耐久性については、投球力は減ずるが空気の流動抵抗を利用し、笛音を発するようにする装置が考えられる。【００２３】  投球ア−ム２０の回動により、先端に取り付けた投球カップ３０にある球も、当然回動するが、投球ア−ム２０が弾性の緩衝止め２６に当たると、カップ３０は止められるが、球は惰性によってカップ３０を離れ回動方向に飛来する。カップ３０は半球状になっているいるので、飛行方向はほぼこの時点の回動の接線方向に飛来する。したがって緩衝止め２６を進めることによって、飛来方向を高い方向に飛来するように調整することも出来る。【００２４】  緩衝止め２６は弾性をもつため、頻繁に衝突を繰り返すことによる装置の損耗を防止し、また投球ア−ムの復元時に跳ね返し力も大きいので、スプリング３３とともに、動力伝達ケ−ブル２の芯ワイヤ−１８の引き戻しに役立ち、もとの位置に引き戻し、急速に外カバ−内に引き込み、打撃によって跳ね返る球に当たらないようになつている。【００２５】  球の補充のため一々打撃位置を離れるのは、煩わしく、さらにホ−ムを身に付けるには好ましくない。打撃練習の基本はトスバッテングのようにネット４に近ずき、中心の円形に向かって、外さないよう打撃するので、打球は殆どが集球箱内に落ち込む。そこで投球装置３を投球装置取り付け金具２９によりネット４に取り付け、図５、図６に示すような球送り駒３１と、これに結合した弾性レバ−３２によって、投球復元の都度、投球ア−ム先端のカップ３０内に一個ずつ落ちこませる。【００２６】  この場合球装置調整脚３４を調整することによって、条件が変わり投球カップ３０の補充が不確実になる恐れがある。このため取り付け金具２９は、丁度投球カップ３０の中心が、取り付けの中心になつている。従って球装置調整脚３４をどのようにしても条件は殆ど変わらず、一個ずつ投球カップ３０に補充できる。この場合球送り駒３１による補充は、図５のようにシュ−タ−にいくら並んでも一個ずつ補充するので、シュ−タ−を長くしておけば、多くの補充ができる。たまたまネットを外れた打撃をしてもシュ−タ−上の球は補充してくれる。【００２７】  打撃者をネット４に近い位置に変更する場合は、先ず踏み込みを少ない１５の位置にストッパ−１６を置く、これにより張りア−ム２４は、スプリングフック２５が２３の溝に落ち投球力の弱い位置に固定する、このため投球力が少なく、打点が下がるので、緩衝止め２６を進め、投球を高め方向に進める。これによつて打激点を同じで、打激者をネット４に近ずけることが出来る。この場合打撃点を変更しないで済む足踏み量と、緩衝止２６の位置は決まっているので、足踏み台１に足操作のレバ−を設け、これによってストッパ−１６を設定出来るようにし、張りア−ム２４と連動して、決まっている緩衝止２６に必要なストッパ−を挿入するようにすれば、踏み台１の位置を離れず、ネット４と打者の距離を変更することが出来る。
【図面の簡単な説明】
【００２８】図１は本装置の使用の斜視図である。
図２はこの発明の足踏み台の実施例の断面図である。
図３はこの発明の投球装置の実施例の断面図である。
図４は遅速装置および遅延表示板駆動装置の実施例の斜視図である。
図５は球送り装置の断面図である。
図６は球送り装置の平面図である。
図７は動力伝達ケ−ブル接続具の断面図である。
図８は動力伝達ケ−ブル接続具の分解の斜視図である。
図９はスプリング追加投球装置の実施例の断面図である。
【符号の説明】
【００２９】１    足踏み台
２    動力伝達ケ−ブル
３    投球装置
４    集球付きネット
５    遅延表示板
１０  足踏み板
１１  足踏みア−ム
１２  踏みロット
１３  踏込復元スプリング
１４  引張ロ−ラ−
１５  近い位置での足踏板の位置
１６  足踏板ストッパ−
１７  曲面スロ−プ
１８  芯ワイヤ−
１９  外覆
２０  投球ア−ム
２１  投球スプリング
２２  遠い位置でのフック溝
２３  近い位置でのフック溝
２４  張ア−ム
２５  スプリングフック
２６  緩衝止め
２７  遅速装置
２８  引外しレバ−
２９  投球装置取り付け金具
３０  投球カップ
３１  球送り駒
３２  弾性レバ−
３３  復元スプリング
３４  投球装置調整脚
３５  外ケ−ス
３６  表示伝達ケ−ブル
３７  補充球
３８  表示窓
３９  支柱
４０  係合調整装置
４１  投球フック
４２  緩衝バネ
４３  押外し突起
４４  引外しレバ−取り付け点
４５  空気羽
４６  表示ア−ム
４７  表示復元スプリング
４８  逆転フリ−フック
４９  遅速装置駆動ア−ム
５０  球送り駒復元バネ
７１  接続カバ−
７４  槌形止め片
７５  穴形止め片
７６  外覆端末部
９０  張り駆動軸
９１  選択フック
９２  固定フック
９３  張り駆動ア−ム
９４  張りア−ム
９５  支持台
９６  フック操作ケ−ブル
【図１】
2006181329.tif 000003
【図２】
2006181329.tif 000004
【図３】
2006181329.tif 000005
【図４】
2006181329.tif 000006
【図５】
2006181329.tif 000007
【図６】
2006181329.tif 000008
【図７】
2006181329.tif 000009
【図８】
2006181329.tif 000010
【図９】
2006181329.tif 000011